(57)【要約】  【課題】  空気調和装置等に取付けるフィルタ装置であって、断面三角形状の消臭，抗菌剤収容室内へ空気の流入をし易くし、消臭，抗菌作用を良好にすることを目的とする。  【解決手段】消臭，抗菌剤収容室５ａ，５ｂ，５ｃ，５ｄ，５ｅ，５ｆ…は断面が三角形状に成され、上面６と、一方、他方の斜面７，８より成り、上面６の網目Ａの大きさは、斜面７，８の網目Ｂの大きさより大に形成されていることを特徴とする。  【選択図】  図５
0003120756.tif 000002
【実用新案登録請求の範囲】
【請求項１】
空気調和装置、空気清浄器、換気扇、脱臭装置、集塵装置等の空気通路中に、取付け、取外し可能に配設される複数のフィルタを多重に配したフィルタ装置であって、上記多重に配設されたフィルタ２，３を焼却可能な材質により構成するとともに、フィルタ２とフィルタ３間に、焼却可能な粒状の消臭，抗菌剤の多数が収容されていると共に、互いに区分された態様で複数の三角形状室５ａ，５ｂ，５ｃ，５ｄ，５ｅ，５ｆ…が形成されて成る使い捨てフィルタ装置に於いて、上記各三角形状室５ａ，５ｂ，５ｃ，５ｄ，５ｅ，５ｆ…は、上記一方のフィルタ２が平坦であり、他方のフィルタ３が山谷状に形成されていることにより、フィルタ２と３の間で断面が三角形状に形成されていて、上面６と、一方、他方の断面７，８より成り、上記上面６を構成するフィルタ２の網目Ａの大きさは、上記一方、他方の斜面７，８の網目Ｂの大きさより、大に形成されていることを特徴とする使い捨てフィルタ装置。
【請求項２】
上記焼却可能な粒状の消臭，抗菌剤は上記複数の三角形状室５ａ，５ｂ，５ｃ，５ｄ，５ｅ，５ｆ…内に収容されていることを特徴とする請求項１記載の使い捨てフィルタ装置。
【請求項３】
上記焼却可能な粒状の消臭，抗菌剤は上記フィルタ２と３の間であって、フィルタ２とその下方に配されたフィルタ１２の間に収容されていることを特徴とする請求項１記載の使い捨てフィルタ装置。
【請求項４】
上記フィルタ２と３は、山谷状のフィルタ３の谷部３Ｃのところで縫い糸Ｎによって互いに縫着されていることを特徴とする請求項１〜３の何れか一項記載の使い捨てフィルタ装置。
【請求項５】
上記各三角形状室５ａ，５ｂ，５ｃ，５ｄ，５ｅ，５ｆ…の各々の谷部３ｃと、山部３ｂ間の高さＴを一定とした場合に、各三角形状室５ａ，５ｂ，５ｃ，５ｄ，５ｅ，５ｆ…の上面６の幅Ｐをより狭くすることにより上面６の面積に対する一方、他方の斜面７，８の面積をより大とするようにしたことを特徴とする請求項１〜３の何れか一項記載の使い捨てフィルタ装置。
【請求項６】
上記山谷状のフィルタ３の谷部３Ｃのところに、ひも状の空気通過阻止体１１が配設されていることを特徴とする請求項１〜３の何れか一項に記載の使い捨てフィルタ装置。
【考案の詳細な説明】
【技術分野】
【０００１】
本考案は使い捨てフィルタ装置に係わり、更に詳しくは空気調和装置、空気清浄器、換気扇、脱臭装置、集塵装置等の空気通路に取り付け、取り外し可能であって使い捨て後焼却処理できるフィルタ装置に関する。
【背景技術】
【０００２】
周知の通りゴミやホコリを収集する為の空気調和装置等の空気通路に取り付けられるフィルタ装置は種々実用されている。そして、ゴミやホコリを収集する為のみならず消臭や抗菌作用を与えることのできるフィルタ装置も多々提案されている。例えば特開平１０−２３５１３０（特許文献１）の中に示されているように、空気通路中に取付け、取外し可能に配置される複数の不職布よりなるフィルタを多重に配したフィルタ装置であって、上記不職布のフィルタ間に互いに区分された態様で断面三角形状の複数の消臭，抗菌剤収容室を形成し、その中に消臭，抗菌剤を入れたフィルタ装置がある。
【０００３】
【特許文献１】特開平１０−２３５１３０
【考案の開示】
【考案が解決しようとする課題】
【０００４】
上記従来技術の場合、断面三角形状の各消臭，抗菌剤収容室の上面のフィルタと、三角状を成す一方、他方の斜面のフィルタの網目の大きさが同じであって各収容室内の消臭，抗菌剤の中を通る空気の圧力損失についてそれを防止する特段の工夫が成されていないので、空気調和装置等の下から当該空気調和装置の中に吸い込まれていく空気は、各消臭，抗菌剤収容室を通るよりも、空気抵抗の小さい三角状を成す谷部のところを通って、抜け出て行ってしまうおそれがある。すると、このフィルタ装置によると消臭，抗菌作用が阻害される。
【０００５】
従って、本考案の目的とするところは、多重に配したフィルタの中を空気が有効に通過でき、フィルタによって消臭，抗菌作用をよりよく発揮できる使い捨て焼却可能なフィルタ装置を提供するにある。
【課題を解決するための手段】
【０００６】
上記目的を達成する為に本考案は次の技術的手段を有する。即ち、実施例の形態で示した添付図面中の符号を付して説明すると、空気調和装置、空気清浄器、換気扇、脱臭装置、集塵装置等の空気通路中に、取付け、取外し可能に配設される複数のフィルタを多重に配したフィルタ装置であって、上記多重に配設されたフィルタ２，３を焼却可能な材質により構成するとともに、フィルタ２とフィルタ３間に、焼却可能な粒状の消臭，抗菌剤の多数が収容されていると共に、互いに区分された態様で複数の三角形状室５ａ，５ｂ，５ｃ，５ｄ，５ｅ，５ｆ…が形成されて成る使い捨てフィルタ装置に於いて、上記各三角形状室５ａ，５ｂ，５ｃ，５ｄ，５ｅ，５ｆ…は、上記一方のフィルタ２が平坦であり、他方のフィルタ３が山谷状に形成されていることにより、フィルタ２と３の間で断面が三角形状に形成されていて、上面６と、一方、他方の断面７，８より成り、上記上面６を構成するフィルタ２の網目Ａの大きさは、上記一方、他方の斜面７，８の網目Ｂの大きさより、大に形成されていることを特徴とする使い捨てフィルタ装置である。そして、上記焼却可能な粒状の消臭，抗菌剤は、上記複数の三角形状室５ａ，５ｂ，５ｃ，５ｄ，５ｅ，５ｆ…内に収容してもよいし、又上記フィルタ２と３の間であって、フィルタ２とその下方に配したフィルタ１２の間に収容してもよい。
【０００７】
又本考案は、上記フィルタ２と３は、山谷状のフィルタ３の谷部３Ｃのところで縫い糸Ｎによって互いに縫着されていることを特徴とする使い捨てフィルタ装置である。
【０００８】
更に、本考案は上記各三角形状室５ａ，５ｂ，５ｃ，５ｄ，５ｅ，５ｆ…の各々の谷部３ｃと、山部３ｂ間の高さＴを一定とした場合に、各三角形状室５ａ，５ｂ，５ｃ，５ｄ，５ｅ，５ｆ…の上面６の幅Ｐをより狭くすることにより上面６の面積に対する一方、他方の斜面７，８の面積をより大とするようにしたことを特徴とする使い捨てフィルタ装置である。
【０００９】
加えて本考案は、上記山谷状のフィルタ３の谷部３Ｃのところに、ひも状の空気通過阻止体１１が配設されていることを特徴とする使い捨てフィルタ装置である。
【考案の効果】
【００１０】
このようにして成るフィルタ装置１は、建物に設備されている空気調和装置１０等のフィルタ取付部に取付けられる。このように取付けられると、冷房又は暖房あるいは送風等の駆動時、建物内の空気が空調装置に吸引されてフィルタ装置１を通るから、フィルタ２又は１２又は３に於いてゴミ、ホコリ等が捕集されると共に、臭気成分は、消臭剤９によって脱臭され、又は空気中のカビ、細菌は抗菌剤９によって制菌される。
従って、空気調和機器を構成する建物内の配管、ダクト内にゴミ、ホコリが吸い込まれたり、又はカビが壁面に付着し成長することを抑制できる。従って循環して室内に戻る空気は清浄になる。即ち、断面三角形状を成す上面６のフィルタ２の網目Ａが、一方，他方の斜面７，８のフィルタ３の網目Ｂに比して大なので、上面６側に於ける空気抵抗が少なくなる為に、空気調和装置１０の下から空気調和装置の中へ吸い込まれていく空気は、斜面７，８を通って、中の消臭、抗菌剤の中を通り易くなる。つまり上面６のフィルタの目が細かく空気抵抗が大であって、圧力損失が大であると、空気は各谷部３Ｃを通って抜け出てしまうが、このように上面６のフィルタ２の網目Ａを大きくして空気抵抗を少なくすると、圧力損失が小となって空気が通過し易くなるものである。更に谷部３Ｃのところを縫い糸Ｎによって縫着し、縫い糸Ｎが谷部３Ｃ部分での空気抵抗となるので、空気調和装置１０の下から吸い込まれる空気は谷部３Ｃのところを通らず三角形状室を通るようになる。この意味でも消臭，抗菌作用がよい。又、上面６の幅Ｐを小さくして、上面６の面積に対する一方、他方の斜面７，８の面積をより大とすることにより、各三角形状室の容積に対する斜面７，８の面積が大きくなるので、圧力損失も小さくなり、空気が各三角形状室内へ流入し易くなり、消臭，抗菌作用がよい。加えて、長持ちする。そして、谷部３Ｃのところにひも状の空気通過阻止体１１を配設する場合、空気中に浮遊する汚れの微粒子がひも状体に吸着されると共に、谷部３Ｃのところを空気が通過するのを阻止し、結果的に各収容室の方へ空気が流れて行くので、消臭，抗菌作用がより良好となる。
【考案を実施するための最良の形態】
【００１１】
次に添付図面に従い本考案の好ましい実施の形態を詳細に説明する。
図１〜図５は第一の実施の形態を示したもので、符号１はこの考案に係るフィルタ装置を示し、このフィルタ装置１は長方形状の又は四角形状のあるいは他の形状の上側に位置する平坦なフィルタ２と、それに対して下側に位置する山谷状に形成されたフィルタ３より成る。これらのフィルタ２，３は空気中のゴミやホコリ、細菌等をとるものなら何れをも用いることができるが、本考案に係るフィルタ装置１は使い捨て、及びその後に焼却処理できることを条件とするので、それに適う材質のものが選ばれる。
従ってそれらは紙製、繊維製又はそれらの混合の濾紙とされる。
【００１２】
上記フィルタ２と３の組合わせについてより具体的に説明すると、フィルタ２は平坦な形状を呈しているが、フィルタ３は、平坦な端部３ａと、それに連なっている山部３ｂと、更にそれに続けて形成されている谷部３ｃより成り、それを交互に繰り返して全体として山谷状に形成されている。従って平坦なフィルタ２と山谷形状のフィルタ３の間に３角形状の断面を呈する三角形状室５ａ，５ｂ，５ｃ，５ｄ，５ｅ，５ｆ…が各々区分されて形成されている。
【００１３】
これを組み立てるには種々の手段が考えられるが、この実施例では、ボックス状の枠４に周囲を固定して組付けた例を示してある。即ち、周囲の断面形状が側面４ａ，上面４ｂ，下面４ｃより成り全体としてコ字状を呈しているボックス状の枠４中にフィルタ２と３より成るフィルタ装置１が取設されている。この場合、各三角形状室５ａ，５ｂ，５ｃ，５ｄ，５ｅ，５ｆ…の各々は断面三角形状を呈し上面６が、一方、他方の斜面７、８に対して上方に位置するようにボックス状の枠４に取りつけられる。
【００１４】
上記の場合、フィルタ２と３のみならず、枠４に関しても、このフィルタ装置１全体が使い捨て及びその後に焼却処理できることを条件とするので、軽量で焼却処理できる紙製、例えば段ボール用紙又はベニヤ板製より成るものが考慮される。
【００１５】
さて、三角形状室５ａ，５ｂ，５ｃ，５ｄ，５ｅ，５ｆ…内に収容する消臭、抗菌剤９は、多孔質のセラミック粒子又は合成ゼオライト粒子を担体としてそれに消臭剤、又は抗菌剤あるいは特定の例えばタバコの臭気、あるいは工場等で用いられるさく酸等有機物質又は無機物質の臭気を分解する機能物質を複合化したものが考慮される。上記多孔質のセラミック粒子又は合成ゼオライト粒子は公知のもので、多孔性の為に内部に水や空気は勿論のこと上記消臭、抗菌剤を保持できる。そして外径や、内部の孔径等も製造段階で調整できるものである。例えば粒径は５０〜１，５００μｍに調整できる。本考案の場合、フィルタ２やフィルタ３の孔隙から滑り又は抜け落ちないことが必要なので、フィルタ２，３の孔隙より大の直径を有することが必須の条件である。
【００１６】
さて、本考案はこのようなフィルタ装置１に於いて上述したように各三角形状室５ａ，５ｂ，５ｃ，５ｄ，５ｅ，５ｆ…は、フィルタ２と３の間で断面が三角形状に形成されていて、上面６と、一方、他方の斜面７，８より成り、上記上面６を構成するフィルタ２の網目Ａの大きさを、一方、他方の斜面７，８の網目Ｂの大きさより大に形成するものである。つまり上面６側の空気抵抗を小とし、圧力損失を小さくするものである。
【００１７】
このようにして成るフィルタ装置１は、図９に示すように建物に設備されている空気調和装置１０のフィルタ取付部分や、図示してはいないが空気清浄器、換気扇、脱臭装置、集塵装置のフィルタ取付部に取付けられる。このように取付けられると、例えば上記の建物に設備されている空気調和装置のフィルタ取付部に取付けられると、冷房又は暖房あるいは送風等の駆動時、建物内の空気が空調装置に吸引されて矢示Ｓに示すようにフィルタ装置１を通るから、フィルタ３又は２に於いてゴミ、誇り等が捕集されると共に、臭気成分は、三角形状室５ａ，５ｂ，５ｃ，５ｄ，５ｅ，５ｆ…内の消臭剤９によって脱臭され、又は空気中のカビ、細菌は抗菌剤９によって制菌される。
従って空気調和機器を構成する建物内の配管、ダクト内にゴミ、ホコリが吸い込まれたり、又はカビが壁面に付着し成長することを抑制できる。従って循環して室内に戻る空気は清浄になる。更には多孔質のセラミック粒子又は合成ゼオライト粒子の担体にマイナスイオン発生剤が複合されたものが収容室に収容されていればマイナスイオンが生じる。
【００１８】
そして、特に断面三角形状を成す上面６のフィルタ２の網目Ａが、一方、他方の斜面７，８のフィルタ３の網目Ｂに比して大なので、上面６側における空気抵抗が少なくなる為に、空気調和装置１０の下から空気調和装置の中へ吸い込まれていく空気は、斜面７，８を通って、三角形状室５ａ，５ｂ，５ｃ，５ｄ，５ｅ，５ｆ…内の消臭，抗菌剤の中を通り易くなる。つまり上面６のフィルタの目が細かく、空気抵抗が大であって、圧力損失が大であると、空気は各三角形状室５ａ，５ｂ，５ｃ，５ｄ，５ｅ，５ｆ…中を通るよりも、谷部３Ｃを通って抜け出てしまうが、このように上面６のフィルタ２の網目Ａを大きくして空気抵抗を少なくすると、各収容室全体の空気抵抗が小さくなり、圧力損失が小となって空気が通過し易くなる。この為に、消臭，抗菌作用が良好となる。
【００１９】
そして上記フィルタ２と３は山谷状のフィルタ３の谷部３Ｃのところで、縫い糸Ｎによって互いに縫着されている。この為に縫い糸Ｎが谷部３Ｃのところで抵抗となり、空気調和装置へ吸い込まれていく空気は谷部３Ｃのところを通らず、各三角形状室５ａ，５ｂ，５ｃ，５ｄ，５ｅ，５ｆ…内へ通過していく。この結果、消臭，抗菌作用がよい。
【００２０】
図６に示す例は、上記各三角形状室５ａ，５ｂ，５ｃ，５ｄ，５ｅ，５ｆ…の各々の谷部３と山部３ｂ間の高さＴを一定とした場合に、各三角形状室５ａ，５ｂ，５ｃ，５ｄ，５ｅ，５ｆ…の上面６の幅Ｐを、より狭くすることにより上面６の面積に対する一方、他方の斜面７，８の面積をより大としたものである。こうすれば各三角形状室の容積に対する斜面７，８の面積が大きくなるので、圧力損失も小さくなり、空気が各三角形状室内へ流入し易くなり、消臭，抗菌作用が良好となる。加えて長持ちすることとなる。
【００２１】
このように使用したフィルタ１は、使用条件によって異なるが例えば３ヶ月程度使用したならば、次の新しいフィルタ装置１に交替する。本考案の場合、使用済みのフィルタ装置１は使い捨てとし、且つ構成材料が全て焼却可能なので、焼却処理する。
【００２２】
次いで図７，図８の例は、上記山谷状のフィルタ３の谷部３Ｃのところに、ひも状の空気通過阻止体１１を配設したものである。このひも状の空気通過阻止体１１は、スポンジ状のものを帯状にしたものや、毛糸のようなものが考えられる。こうすることによって空気中に含まれる微細な粒子が、このひも状の空気通過阻止体１１に当り、スポンジまたは毛糸の表面に吸着捕集されるのみならず、谷部３Ｃのところに配設されていて、谷部３Ｃに向う空気の流れがそこで阻止されるから、結果的に各収容室へ空気が流入し易くなり、消臭，抗菌作用が良好となる。
【００２３】
次に図１０，図１１に基づき、もう一つの実施例を詳細に説明する。
これらの図１０，図１１は、各々図１の３−３線断面図，図１の４−４線断面図と同様の図であって、これらの図１０，図１１の実施例の全体的外観は、図１と同様に示される。
そこで図１０，図１１に従い、より詳述するとこの実施例では多重に配したフィルタ２と３の間に、もう１つフィルタ１２が介在されている。即ちフィルタ２とフィルタ１２の組で袋状を呈していて、そこの中に粒状の消臭，抗菌剤９が収容されている。従ってフィルタ１２の下方の三角形状室を形成するフィルタ３とフィルタ１２の間には消臭，抗菌剤９は収容されない。そして、フィルタ２と１２の上面６の網目Ａの大きさは、三角形状室を構成する一方，他方の斜面７，８の網目Ｂの大きさより、大に形成されている。
【００２４】
この実施形態の場合も、フィルタ２及び１２の網目Aが、一方，他方の斜面７，８のフィルタ３の網目Ｂに比して大なので、フィルタ２及び１２に於ける空気抵抗が少なくなる為に、空気調和装置１０の下から空気調和装置の中へ吸い込まれていく空気は、斜面７，８を通って、中のフィルタ２と１２の間の消臭、抗菌剤の中を通り易くなる。つまり仮にフィルタ２及び１２の目が細かく空気抵抗が大であって、圧力損失が大であると、空気は谷部３Ｃを通って抜け出てしまうが、このようにフィルタ２及び１２の網目Ａを大きくして空気抵抗を少なくすると、圧力損失が小となって空気が通過し易くなるものである。更に谷部３Ｃのところを縫い糸Ｎによって縫着し、縫い糸Ｎが谷部３Ｃ部分での空気抵抗となるので、空気調和装置１０の下から吸い込まれる空気は谷部３Ｃのところを通らず三角形状室の中を通りフィルタ２，１２中を通るようになる。この意味でも消臭，抗菌作用がよい。又、上面６の幅Ｐを小さくして、上面６の面積に対する一方、他方の斜面７，８の面積をより大とすることにより、各三角形状室の容積に対する斜面７，８の面積が大きくなるので、圧力損失も小さくなり、空気が三角形状室内へ流入し易くなり、消臭，抗菌作用がよい。加えて、長持ちする。そして、谷部３Ｃのところにひも状の空気通過阻止体１１を配設する場合、空気中に浮遊する汚れの微粒子がひも状体に吸着されると共に、谷部３Ｃのところを空気が通過するのを阻止し、結果的に各収容室の方へ空気が流れて行くので、消臭，抗菌作用がより良好となる。
【図面の簡単な説明】
【００２５】
【図１】本考案に係る消臭、抗菌フィルタ装置の一実施例を示す斜視図。
【図２】図１に示したフィルタ装置の裏面側に於ける斜視図。
【図３】図１の３−３線に沿う断面図。
【図４】図１の４−４線に沿う断面図。
【図５】図１に示した実施例のフィルタ装置の特徴を説明する為の部分断面を含む斜視図。
【図６】図１に示した実施例のフィルタ装置のもう一つの特徴と説明する為の部分断面を含む斜視図。
【図７】第２の実施例のフィルタ装置を示す部分断面を含む斜視図。
【図８】Ａ，Ｂ各々図７に示したフィルタ装置に用いるひも状の空気通過阻止体。
【図９】フィルタ装置を空気調和装置等の空気通過に取付けた所を示す断面図。
【図１０】もう一つの実施例を示す断面図。
【図１１】図１０に示した実施例のもう一つの断面図。
【符号の説明】
【００２６】
１    フィルタ装置
２，１２    上側の平坦で、下側のフィルタの網目に比して大きい網目を有すフィルタ
３    下側の山谷状で、上側のフィルタの網目に比して小さい網目を有すフィルタ
３ａ  下側フィルタの端部
３ｂ  下側フィルタの山部
３ｃ  下側フィルタの谷部
３ｄ  下側フィルタの側部
４    ボックス状の枠
４ａ  枠の側面
４ｂ  枠の上面
４ｃ  枠の下面
５ａ，５ｂ，５ｃ，５ｄ，５ｅ，５ｆ…    三角形状室
６    三角形状室の上面
７    三角形状室の一方の斜面
８    三角形状室の他方の斜面
９    消臭、抗菌剤
１０  空調装置のフィルタ取付部
１１  ひも状の空気通過阻止体
Ａ    上面の網目
Ｂ    下側の一方，他方の斜面の網目
Ｎ    谷部に於ける縫い糸
Ｐ    上面の幅
Ｔ    三角状の高さ
Ｓ    空気の流れ
【図１】
0003120756.tif 000003
【図２】
0003120756.tif 000004
【図３】
0003120756.tif 000005
【図４】
0003120756.tif 000006
【図５】
0003120756.tif 000007
【図６】
0003120756.tif 000008
【図７】
0003120756.tif 000009
【図８】
0003120756.tif 000010
【図９】
0003120756.tif 000011
【図１０】
0003120756.tif 000012
【図１１】
0003120756.tif 000013